【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
コンテンツと当該コンテンツのライセンスを提供するサーバと，前記サーバから取得したライセンスに基づいてコンテンツを処理する１又は２以上のコンテンツ処理装置とを備え，前記サーバから前記コンテンツ処理装置に対して既に提供されたコンテンツをリボークする著作権管理システムであって：
前記サーバは，
コンテンツの属性を表すコンテンツ属性ＩＤを設定する属性設定部と；
コンテンツに対し，当該コンテンツの属性に対応したコンテンツ属性ＩＤを付加するＩＤ付加部と；
前記コンテンツ属性ＩＤが付加されたコンテンツを前記コンテンツ処理装置に提供するコンテンツ提供部と；
前記ライセンスを発行して前記コンテンツ処理装置に提供するライセンス発行部と；
リボーク対象のコンテンツの属性に対応するコンテンツ属性ＩＤを含むリボークリストを作成するリスト作成部と；
前記リボークリストを前記コンテンツ処理装置に配布するリスト配布部と；
を備え，
前記コンテンツ処理装置は，
前記サーバ若しくは他のコンテンツ処理装置から，前記リボークリストを取得するリスト取得部と；
処理対象のコンテンツに付加されているコンテンツ属性ＩＤと，前記リボークリストに含まれるコンテンツ属性ＩＤとに基づいて，前記処理対象のコンテンツの処理を不能化するリボーク部と；
を備えることを特徴とする，著作権管理システム。
【請求項２】
サーバが発行したライセンスに基づいて，コンテンツを処理するコンテンツ処理装置であって：
前記サーバ若しくは他のコンテンツ処理装置から，リボーク対象のコンテンツの属性に対応するコンテンツ属性ＩＤを含むリボークリストを取得するリスト取得部と；
処理対象のコンテンツに付加されているコンテンツ属性ＩＤと，前記リボークリストに含まれるコンテンツ属性ＩＤとに基づいて，前記処理対象のコンテンツの処理を不能化するリボーク部と；
を備えることを特徴とする，コンテンツ処理装置。
【請求項３】
前記コンテンツ属性ＩＤは，前記ライセンスが適用されるコンテンツ単位で固有に付与されるコンテンツＩＤを含むことを特徴とする，請求項２に記載のコンテンツ処理装置。
【請求項４】
前記コンテンツ属性ＩＤは，１又は２以上のコンテンツを含むコンテンツファイル単位で固有に付与されるファイルＩＤを含むことを特徴とする，請求項２に記載のコンテンツ処理装置。
【請求項５】
前記コンテンツ属性ＩＤは，コンテンツを構成するトラック単位で固有に付与されるトラックＩＤを含むことを特徴とする，請求項２に記載のコンテンツ処理装置。
【請求項６】
前記コンテンツ属性ＩＤは，複数のコンテンツで共通する共通属性単位で固有に付与されるグループＩＤを含むことを特徴とする，請求項２に記載のコンテンツ処理装置。
【請求項７】
前記グループＩＤは，前記サーバにおいて前記サーバの管理者の入力に基づいて設定されることを特徴とする，請求項６に記載のコンテンツ処理装置。
【請求項８】
前記コンテンツに付加されているコンテンツ属性ＩＤは，前記コンテンツに付加されているセキュリティ情報内に含まれることを特徴とする，請求項２に記載のコンテンツ処理装置。
【請求項９】
前記リボーク部は，コンテンツの再生時に，再生対象のコンテンツに付加されているコンテンツ属性ＩＤと，前記リボークリストに含まれるコンテンツ属性ＩＤとに基づいて，前記再生対象のコンテンツの再生処理を不能化することを特徴とする，請求項２に記載のコンテンツ処理装置。
【請求項１０】
前記リボーク部は，前記他のコンテンツ処理装置との間でコンテンツを提供／所得する時に，提供／取得対象のコンテンツに付加されているコンテンツ属性ＩＤと，前記リボークリストに含まれるコンテンツ属性ＩＤとに基づいて，前記提供／取得処理対象のコンテンツの提供／取得処理を不能化することを特徴とする，請求項２に記載のコンテンツ処理装置。
【請求項１１】
前記ライセンスは，前記サーバによって前記コンテンツ属性ＩＤ単位で発行されることを特徴とする，請求項２に記載のコンテンツ処理装置。
【請求項１２】
前記他のコンテンツ処理装置との間で前記ライセンスを提供／取得するライセンス管理部を備え，
前記リボーク部は，前記ライセンス管理部による前記ライセンスの提供／取得時に，提供／取得対象のライセンスに含まれるコンテンツ属性ＩＤと，前記リボークリストに含まれるコンテンツ属性ＩＤとに基づいて，前記提供／取得対象のライセンスの提供／取得処理を不能化することを特徴とする，請求項１１に記載のコンテンツ処理装置。
【請求項１３】
前記リボークリストには，前記サーバによって第１のデジタル署名が付加されていることを特徴とする，請求項２に記載のコンテンツ処理装置。
【請求項１４】
前記リボークリストには，前記サーバによって前記リボークリストの新旧を表すバージョン情報が付加されていることを特徴とする，請求項２に記載のコンテンツ処理装置。
【請求項１５】
前記リボークリストを他のコンテンツ処理装置に提供するリスト提供部をさらに備えることを特徴とする，請求項２に記載のコンテンツ処理装置。
【請求項１６】
前記リスト取得部によって取得された複数の前記リボークリストを統合して統合リボークリストを作成するリスト管理部をさらに備えることを特徴とする，請求項２に記載のコンテンツ処理装置。
【請求項１７】
前記リスト管理部は，前記統合リボークリストに対して，前記コンテンツ処理装置に対応した第２のデジタル署名を付加することを特徴とする，請求項１６に記載のコンテンツ処理装置。
【請求項１８】
前記リボークリストには，前記リボークリストの新旧を表すバージョン情報が付加されており，
前記リスト管理部は，新しく取得された前記リボークリストの前記バージョン情報と，過去に取得された前記リボークリストの前記バージョン情報とに基づいて，前記新しく取得されたリボークリストを前記統合リボークリストに統合するか否かを判定することを特徴とする，請求項１６に記載のコンテンツ処理装置。
【請求項１９】
前記リボークリストには，前記リボークリストの新旧を表すバージョン情報が付加されており，
前記リスト管理部は，前記統合リボークリストと，前記リスト取得部によって取得された複数の前記リボークリストのうち前記バージョン情報に基づいて最新であると判定した最新リボークリストと，を保存することを特徴とする，請求項１６に記載のコンテンツ処理装置。
【請求項２０】
前記リボーク部は，前記処理対象のコンテンツに付加されている前記コンテンツ属性ＩＤと，前記統合リボークリストに含まれる前記コンテンツ属性ＩＤとに基づいて，前記処理対象のコンテンツの処理を不能化することを特徴とする，請求項１６に記載のコンテンツ処理装置。
【請求項２１】
前記最新リボークリストを，他のコンテンツ処理装置に提供するリスト提供部をさらに備えることを特徴とする，請求項１９に記載のコンテンツ処理装置。
【請求項２２】
コンピュータをして：
サーバ若しくは他のコンテンツ処理装置から，リボーク対象のコンテンツの属性に対応するコンテンツ属性ＩＤを含むリボークリストを取得するリスト取得処理と；
処理対象のコンテンツに付加されているコンテンツ属性ＩＤと，前記リボークリストに含まれるコンテンツ属性ＩＤとに基づいて，前記処理対象のコンテンツの処理を不能化するリボーク処理と；
を実行させることを特徴とする，プログラム。
【請求項２３】
コンテンツおよび前記コンテンツのライセンスをコンテンツ処理装置に提供するサーバであって：
コンテンツの属性を表すコンテンツ属性ＩＤを設定する属性設定部と；
コンテンツに対し，当該コンテンツの属性に対応したコンテンツ属性ＩＤを付加するＩＤ付加部と；
前記コンテンツ属性ＩＤが付加されたコンテンツを前記コンテンツ処理装置に提供するコンテンツ提供部と；
前記ライセンスを発行して前記コンテンツ処理装置に提供するライセンス発行部と；
リボーク対象のコンテンツの属性に対応するコンテンツ属性ＩＤを含むリボークリストを作成するリスト作成部と；
前記リボークリストを前記コンテンツ処理装置に配布するリスト配布部と；
を備え，
前記リボークリストを取得した前記コンテンツ処理装置において，前リボークリストに含まれるコンテンツ属性ＩＤが付加されたコンテンツの処理が不能化されることを特徴とする，サーバ。
【請求項２４】
前記属性設定部は，前記サーバの管理者の入力に基づいて，前記コンテンツ属性ＩＤを設定可能であることを特徴とする，請求項２３に記載のサーバ。
【請求項２５】
コンピュータをして：
コンテンツの属性を表すコンテンツ属性ＩＤを設定する属性設定処理と；
コンテンツに対し，当該コンテンツの属性に対応したコンテンツ属性ＩＤを付加するＩＤ付加処理と；
前記コンテンツ属性ＩＤが付加されたコンテンツをコンテンツ処理装置に提供するコンテンツ提供処理と；
ライセンスを発行して前記コンテンツ処理装置に提供するライセンス発行部と；
リボーク対象のコンテンツの属性に対応するコンテンツ属性ＩＤを含むリボークリストを作成するリスト作成処理と；
前記リボークリストを前記コンテンツ処理装置に配布するリスト配布処理と；
を実行させ，
前記リボークリストを取得した前記コンテンツ処理装置において，前リボークリストに含まれるコンテンツ属性ＩＤが付加されたコンテンツの処理が不能化されることを特徴とする，プログラム。
【請求項２６】
サーバからコンテンツ処理装置に提供されたコンテンツを処理する方法であって：
処理対象のコンテンツに付加されているコンテンツ属性ＩＤを読み出すステップと；
前記読み出したコンテンツ属性ＩＤが，リボーク対象のコンテンツの属性に対応するコンテンツ属性ＩＤを含むリボークリストに含まれるか否かを判断するステップと；
前記読み出したコンテンツ属性ＩＤが，前記リボークリストに含まれる場合には，前記処理対象のコンテンツの処理を不能化し，一方，前記読み出したコンテンツ属性ＩＤが，前記リボークリストに含まれない場合には，前記処理対象のコンテンツの処理を可能化するステップと；
を含むことを特徴とする，コンテンツ処理方法。